(57)【特許請求の範囲】
【請求項１】
板状をなす基準部材と、板状をなし、該基準部材に対して移動可能な第１および第２移動部材とが積層され、顕微鏡本体に取り付けられるステージにおいて、
前記基準部材、前記第１および第２移動部材は、前記第２移動部材、前記基準部材、前記第１移動部材の順番で積層されてなり、
前記第１移動部材は、前記基準部材に対して第１の方向に移動可能であり、
前記第２移動部材は、前記第１の方向に対して同一平面上であって、かつ直交する方向である第２の方向に移動可能であり、
前記第１移動部材の表面に固定され、前記第１移動部材と前記基準部材との間で成立しうる位置関係に応じて定まる複数の第１の位置情報を、該第１移動部材の移動方向沿って並べて表示する第１の位置情報表示部と、
前記基準部材の表面であって前記第１移動部材の前記第１の位置情報表示部が設けられる表面と同じ側の表面に固定され、前記第１の位置情報部が表示する複数の第１の位置情報のうち、前記第１移動部材と前記基準部材との間で成立している位置関係に対応した第１の位置情報を指示する第１の指標と、
前記第２移動部材の表面であって前記第１移動部材と同じ側の表面に固定され、前記第２移動部材と前記基準部材との間で成立しうる位置関係に応じて定まる複数の第２の位置情報を、該第２移動部材の移動方向沿って並べて表示する第２の位置情報表示部と、
前記基準部材の表面であって前記第２移動部材の前記第２の位置情報表示部が設けられる表面と同じ側の表面に固定され、前記第２の位置情報部が表示する複数の第２の位置情報のうち、前記第２移動部材と前記基準部材との間で成立している位置関係に対応した第２の位置情報を指示する第２の指標と、
を備えたことを特徴とするステージ。
【請求項２】
前記第１および第２の位置情報表示部は、平面視で互いに交差する位置に配置されていることを特徴とする請求項１記載のステージ。
【請求項３】
前記第１移動部材および前記第２移動部材を前記第１の方向および前記第２の方向へ移動させる操作部をさらに備え、
前記第１および第２の指標は、前記操作部の近傍に配置されていることを特徴とする請求項２記載のステージ。
【請求項４】
前記第１および第２の位置情報表示部は、前記第１移動部材の移動方向に沿って延びる対をなす側面のうちの一方の側面側に配置されていることを特徴とする請求項１に記載のステージ。
【請求項５】
請求項１に記載のステージと、
前記ステージ上の前記標本に対して照射する光を射出する光源を有する光源部と、
少なくとも前記ステージ上の前記標本からの観察光を集光する対物レンズと、
を備え、
前記顕微鏡本体は、前記ステージおよび前記対物レンズを保持することを特徴とする顕微鏡。
【請求項６】
前記位置情報表示部は、目盛りが設けられていることを特徴とする請求項１に記載のステージ。
【請求項７】
前記指標は、目盛りが設けられていることを特徴とする請求項６に記載のステージ。
【請求項８】
前記位置情報表示部は、表示する前記位置情報の種類が異なることを特徴とする請求項１に記載のステージ。
【発明の詳細な説明】
【技術分野】
【０００１】
本発明は、例えば、照明光を標本に照射し、標本から反射または透過した光を受光して標本の観察を行う顕微鏡に用いられ、標本を載置するステージおよびこのステージを備えた顕微鏡に関するものである。
【背景技術】
【０００２】
従来から、医学や生物学等の分野では、細胞等の観察に、標本を照明して観察する顕微鏡が用いられている。また、工業分野においても、金属組織等の品質管理や、新素材の研究開発、電子デバイスや磁気ヘッドの検査等、種々の用途で顕微鏡が利用されている。顕微鏡による標本の観察は、目視によるものの他、ＣＣＤカメラ等の撮像素子を用いて標本像を撮像し、モニタ表示する構成を有するものが知られている。
【０００３】
従来の顕微鏡は、観察対象の標本を載置するステージと、対物レンズと、少なくとも対物レンズを、この対物レンズの中心軸方向に移動可能保持する顕微鏡本体と、標本を照明する照明光を出射する照明装置と、を備える。また、ステージは、対物レンズの中心軸に対して垂直な平面を移動可能である。これにより、対物レンズに対して、ステージを互いに直交する３軸方向に移動させて標本の観察位置を変化させることができる。
【０００４】
ここで、ステージは、例えば板状をなす第１部材、第２部材および第３部材が順に積層されてなる。このステージにおいて、例えば、第１、第２および第３部材のうちのいずれかの部材を基準（固定）とし、他の部材が対物レンズの中心軸に対して垂直な平面上を移動するとき、他の部材の基準部材に対する相対的な移動量を示すスケールと、このスケール上の位置を指し示す指標とが、第１、第２または第３部材のいずれかに設けられ、移動量を確認することが可能な技術が開示されている（例えば、特許文献１を参照）。
【０００５】
特許文献１が開示するステージは、第１部材（上板）および第２部材（中板）が矩形をなす載置面と平行な平面上で互いに直交する方向に往復動可能であり、最も底面に位置する第３部材（下板）が固定されている。また、スケールは、対応する部材の移動方向に沿って延びている。また、特許文献１では、第１部材に設けられたスケールの位置を指し示す指標が第２部材上に取り付けられるとともに、第２部材に設けられたスケールの位置を指し示す指標が第３部材上に取り付けられている。
【先行技術文献】
【特許文献】
【０００６】
【特許文献１】特開２００９−１２８８５２号公報
【発明の概要】
【発明が解決しようとする課題】
【０００７】
しかしながら、特許文献１が開示する技術は、例えばＸＹ平面において第１部材がＸ軸方向、第２部材がＹ軸方向に移動するとした場合、第１および第２部材のそれぞれの移動によって、Ｘ軸のスケールおよび指標と、Ｙ軸のスケールおよび指標との相対的な位置関係が変動してしまい、次のような問題を生じる。
【０００８】
例えば、第１部材がＸ軸方向に移動し、第２部材がＹ軸方向に移動する場合、Ｘ軸方向の位置を示す第１スケールが第１部材のＸ軸方向と平行な一端側に配置され、Ｙ軸方向の位置を示す第２スケールが第２部材のＹ軸方向と平行な一端側に配置され、第１スケールの位置を指し示す指標が第２部材に固定され、第２スケールの位置を指し示す指標が第３部材に固定されているものとする。このとき、観察者が、各スケールが互いに離れる方向に第１または第２部材を移動させた場合、各指標の位置を確認する際、各スケールおよび指標が離れた位置にあるため、視線を大きく動かす（観察者の視野領域を変更する）必要があり、指標の確認が困難であった。
【０００９】
本発明は、上記に鑑みてなされたものであり、一部が互いに異なる方向に移動可能な複数の部材が積層されたステージの相対位置を容易に読み取ることが可能なステージおよび顕微鏡を提供することを目的とする。
【課題を解決するための手段】
【００１０】
上述した課題を解決し、目的を達成するために、本発明にかかるステージは、板状をなす基準部材と、板状をなし、該基準部材に対して移動可能な第１および第２移動部材とが積層され、顕微鏡本体に取り付けられるステージにおいて、前記基準部材、前記第１および第２移動部材は、前記第２移動部材、前記基準部材、前記第１移動部材の順番で積層されてなり、前記第１移動部材は、前記基準部材に対して第１の方向に移動可能であり、前記第２移動部材は、前記第１の方向に対して同一平面上であって、かつ直交する方向である第２の方向に移動可能であり、前記第１移動部材の表面に固定され、前記第１移動部材と前記基準部材との間で成立しうる位置関係に応じて定まる複数の第１の位置情報を、該第１移動部材の移動方向沿って並べて表示する第１の位置情報表示部と、前記基準部材の表面であって前記第１移動部材の前記第１の位置情報表示部が設けられる表面と同じ側の表面に固定され、前記第１の位置情報部が表示する複数の第１の位置情報のうち、前記第１移動部材と前記基準部材との間で成立している位置関係に対応した第１の位置情報を指示する第１の指標と、前記第２移動部材の表面であって前記第１移動部材と同じ側の表面に固定され、前記第２移動部材と前記基準部材との間で成立しうる位置関係に応じて定まる複数の第２の位置情報を、該第２移動部材の移動方向沿って並べて表示する第２の位置情報表示部と、前記基準部材の表面であって前記第２移動部材の前記第２の位置情報表示部が設けられる表面と同じ側の表面に固定され、前記第２の位置情報部が表示する複数の第２の位置情報のうち、前記第２移動部材と前記基準部材との間で成立している位置関係に対応した第２の位置情報を指示する第２の指標と、を備えたことを特徴とする。
【００１２】
また、本発明にかかるステージは、上記の発明において、前記第１および第２の位置情報表示部は、平面視で互いに交差する位置に配置されていることを特徴とする。
【００１３】
また、本発明にかかるステージは、上記の発明において、前記第１移動部材および前記第２移動部材を前記第１の方向および前記第２の方向へ移動させる操作部をさらに備え、前記第１および第２の指標は、前記操作部の近傍に配置されていることを特徴とする。
【００１４】
また、本発明にかかるステージは、上記の発明において、前記第１および第２の位置情報表示部は、前記第１移動部材の移動方向に沿って延びる対をなす側面のうちの一方の側面側に配置されていることを特徴とする。
【００１５】
また、本発明にかかる顕微鏡は、上記の発明にかかるステージと、前記ステージ上の前記標本に対して照射する光を射出する光源を有する光源部と、少なくとも前記ステージ上の前記標本からの観察光を集光する対物レンズと、を備え、前記顕微鏡本体は、前記ステージおよび前記対物レンズを保持することを特徴とする。
【００１６】
また、本発明にかかるステージは、上記の発明において、前記位置情報表示部は、目盛りが設けられていることを特徴とする。
【００１７】
また、本発明にかかるステージは、上記の発明において、前記指標は、目盛りが設けられていることを特徴とする。
【００１８】
また、本発明にかかるステージは、上記の発明において、前記位置情報表示部は、表示する前記位置情報の種類が異なることを特徴とする。
【発明の効果】
【００１９】
本発明によれば、板状をなす基準部材と、板状をなし、この基準部材に対して移動可能な複数の移動部材とが積層され、顕微鏡本体に取り付けられるステージにおいて、移動部材と基準部材との間で成立しうる位置関係に応じて定まる複数の位置情報を、移動部材の移動方向沿って並べて表示する位置情報表示部と、位置情報表示部のうち移動部材と基準部材との間で成立している位置関係に対応した位置情報を指示する指標と、を有するようにしたので、各移動部材の移動に関わらず、各部材の相対位置を容易に読み取ることができるという効果を奏する。
【図面の簡単な説明】
【００２０】
【図１】図１は、本発明の実施の形態にかかる顕微鏡の全体構成を示す模式図である。
【図２】図２は、本発明の実施の形態にかかる顕微鏡のステージの構成を模式的に示す平面図である。
【図３】図３は、本発明の実施の形態にかかる顕微鏡のステージの構成を模式的に示す側面図である。
【図４】図４は、本発明の実施の形態にかかる顕微鏡のステージの構成を模式的に示す平面図である。
【図５】図５は、本発明の実施の形態にかかる顕微鏡のステージの構成を模式的に示す平面図である。
【図６】図６は、本発明の実施の形態の変形例１にかかる顕微鏡のステージの構成を模式的に示す平面図である。
【図７】図７は、本発明の実施の形態の変形例２にかかる顕微鏡のステージの構成を模式的に示す平面図である。
【発明を実施するための形態】
【００２１】
以下、本発明を実施するための形態を図面と共に詳細に説明する。なお、以下の実施の形態により本発明が限定されるものではない。また、以下の説明において参照する各図は、本発明の内容を理解し得る程度に形状、大きさ、および位置関係を概略的に示してあるに過ぎない。すなわち、本発明は各図で例示された形状、大きさ、および位置関係のみに限定されるものではない。
【００２２】
まず、本実施の形態にかかる顕微鏡について、図面を参照して詳細に説明する。図１は、本実施の形態にかかる顕微鏡の全体構成を示す模式図である。図１に示すように、顕微鏡１は、例えば蛍光色素にて特異的に染色された標本Ｓの標本像を結像して標本Ｓを観察するための倒立型顕微鏡であって、観察対象の標本Ｓを載せるステージ１０と、対物レンズ１１と、ステージ１０および対物レンズ１１を保持し、内部に対物レンズ１１に入射した光を結像するための結像光学系（図示せず）と、対物レンズ１１を上下に動かす焦準操作部１２ａを有する顕微鏡本体１２と、透過照明を行う透過照明装置１３と、を備える。
【００２３】
透過照明装置１３は、顕微鏡本体１２から鉛直方向に伸びる照明支柱１４と、照明支柱１４の上方から対物レンズ１１の光軸（以下光軸Ｎ１）に向かい略水平方向に延設された照明アーム部１５と、照明アーム部１５の一端に着脱可能に設けられ、標本Ｓに照射するための照明光を射出する光源１６１を有するランプハウス１６と、少なくともコンデンサ１７１を有するコンデンサユニット１７と、コンデンサユニット１７を保持し、照明支柱１４が延びる方向と直交する方向に延びるコンデンサホルダ１７２と、を有する。また、顕微鏡１は、顕微鏡本体１２に設けられ、接眼レンズ１８１を装着した鏡筒１８を有する。
【００２４】
照明支柱１４は、コンデンサホルダ１７２を光軸Ｎ１に沿って上下に移動可能なコンデンサ移動機構１９を有する。コンデンサ移動機構１９は、例えばラック＆ピニオンを用いて実現され、コンデンサ１７１を上下に動かすためのコンデンサ焦準操作部１９１を有する。コンデンサ焦準操作部１９１は、所定の回転軸と連結することによって、この回転軸のまわりに自転可能であって、回転軸のまわりの回転に応じた動力を伝達機構に入力する。なお、焦準操作部１２ａにおいても、同様の構成で伝達機構に動力を入力する。また、コンデンサユニット１７は、コンデンサ１７１のスリット形状等の変更を行うターレット転換部を有してもよい。
【００２５】
照明アーム部１５は、光源１６１の光軸Ｎ２上にレンズ１５１と、折り返しミラー１５２と、視野絞り１５３と、を有する。なお、光軸Ｎ２は、光軸Ｎ１と直交している。また、照明アーム部１５の正面には、視野絞り１５３の視野絞り径を調整可能な視野絞り操作部１５４が設けられている。観察者は、ステージ上に載置された標本を透過照明にて観察する際、視野絞り操作部１５４を操作して絞りの調節を行う。
【００２６】
光源１６１から射出された光は、照明アーム部１５に配置されたレンズ１５１、折り返しミラー１５２、視野絞り１５３およびコンデンサ１７１を通過し、標本Ｓに照射される。標本Ｓからの観察像は、対物レンズ１１により拡大または縮小され、図示しない観察光学系により結像される。観察者は、この結像された観察像を、鏡筒１８に装着された接眼レンズ１８１を介して観察する。
【００２７】
図２は、本実施の形態にかかる顕微鏡１のステージ１０の構成を模式的に示す平面図である。図３は、本実施の形態にかかる顕微鏡１のステージ１０の構成を模式的に示す側面図である。図２，３に示すように、本実施の形態にかかる顕微鏡１のステージ１０は、板状をなす基準部材１０ａ（中板）、第１移動部材１０ｂ（上板）および第２移動部材１０ｃ（下板）が積層されてなる。このとき、ステージ１０は、中間に位置する基準部材１０ａを基準として、第１移動部材１０ｂを一方向（第１の方向）に往復動可能に積層するとともに、第２移動部材１０ｃを、部材１０の標本Ｓの載置面と平行な平面上で、第１移動部材１０ｂの移動方向と直交する方向（第２の方向）に往復動可能に積層する。また、第２移動部材１０ｃは、顕微鏡本体１２に対してネジ止めなどによって固定されている。以下の説明では、標本の載置面をＸＹ平面とみなし、第１移動部材１０ｂがＹ方向、第２移動部材１０ｃがＸ方向に移動するものとして説明する。なお、第２移動部材１０ｃは、実際には顕微鏡１に対して固定されて取り付けられており、顕微鏡１からみると、上面に積層される基準部材１０ａおよび第１移動部材１０ｂが移動することになる。本実施の形態では、ステージ１０単体でみた場合に、基準部材１０ａに対して第１移動部材１０ｂおよび第２移動部材１０ｃが互いに直交する方向に移動するため、第２移動部材と称している。
【００２８】
ステージ１０には、基準部材１０ａ、第１移動部材１０ｂおよび第２移動部材１０ｃにおいて板厚方向に貫通する貫通孔１１１がそれぞれ形成されている。この貫通孔１１１は、基準部材１０ａ、第１移動部材１０ｂおよび第２移動部材１０ｃを貫通するように配置、形成されてなり、第１移動部材１０ｂおよび第２移動部材１０ｃの移動によって標本Ｓを透過した光、または対物レンズから出射される光を遮らない大きさで形成される。
【００２９】
また、ステージ１０には、基準部材１０ａに設けられた連結部１２０に取り付けられ、基準部材１０ａの板面に対して垂直な方向に延びる略棒状の操作部１１０が設けられている。操作部１１０は、図３に示すように、第１移動部材１０ｂの移動量を入力する第１入力部１１０ａと、第２移動部材１０ｃの移動量を入力する第２入力部１１０ｂと、を有する。第１入力部１１０ａおよび第２入力部１１０ｂは、所定の回転軸とそれぞれ連結することによって、この回転軸のまわりに自転可能であって、回転軸のまわりの回転に応じた動力を各伝達機構に入力する。各伝達機構は、入力された動力に応じて、第１移動部材１０ｂまたは第２移動部材１０ｃを移動させる。なお、第１移動１０ｂおよび第２移動部材１０ｃに応じた入力ボタンおよび駆動モータを設けて、電動により、第１移動部材１０ｂをＸ方向に移動させ、第２移動部材１０ｃをＹ方向に移動させるものであってもよい。
【００３０】
ここで、第１移動部材１０ｂは、基準部材１０ａに設けられ、第１移動部材１０ｂの側面に係止して移動方向を案内するガイド１３０ａ，１３０ｂによって、移動方向が規制されている。また、第２移動部材１０ｃは、基準部材１０ａに設けられ、第２移動部材１０ｃの側面に係止して移動方向を案内するガイド１３１によって、移動方向が規制されている。なお、ガイド１３１においても、上述したガイド１３０ａ，１３０ｂのように、基準部材１０ａの対向する側面にそれぞれ設けられる。また、ガイド１３０ａ，１３０ｂは、図中Ｙ軸方向に延び、ガイド１３１は、図中Ｘ軸方向に延びている。
【００３１】
上述した構成をなすステージ１０において、第１移動部材１０ｂには、板面（表面）に固定されて設けられ、第１移動部材１０ｂと基準部材１０ａとの間で成立しうる位置関係に応じて定まる複数の位置情報を、第１移動部材１０ｂの移動方向沿って並べて表示するスケール１１２（第１の位置情報表示部）が設けられている。また、第２移動部材１０ｃには、板面（表面）であって、第１移動部材１０ｂと同じ側の表面に固定されて設けられ、第２移動部材１０ｃと基準部材１０ａとの間で成立しうる位置関係に応じて定まる複数の位置情報を、第２移動部材１０ｃの移動方向沿って並べて表示するスケール１１３（第２の位置情報表示部）が設けられている。ここで、スケール１１２は、目盛りが設けられ、基準部材１０ａに対する第１移動部材１０ｂの相対的な移動量（第１の位置情報）を表示している。スケール１１３は、目盛りが設けられ、基準部材１０ａに対する第２移動部材１０ｃの相対的な移動量（第２の位置情報）を表示している。また、スケール１１２，１１３は、ステージ１０の標本載置面と直交する方向から見た平面において、第１移動部材１０ｂまたは第２移動部材１０ｃの移動によって交差する位置に配置されている。
【００３２】
また、基準部材１０ａは、操作部１１０との連結部１２０の上面（表面）に固定して設けられ、第１移動部材１０ｂおよび第２移動部材１０ｃにそれぞれ設けられたスケール１１２，１１３のうち第１移動部材１０ｂおよび第２移動部材１０ｃと前記基準部材との間でそれぞれ成立している位置関係に対応した位置情報を指示する指標１２１，１２２を有する。なお、連結部１２０の上面は、第１移動部材１０ｂおよび第２移動部材１０ｃのスケール１１２，１１３がそれぞれ設けられる表面と同じ側の表面である。
【００３３】
各スケール１１２，１１３は、指標１２１，１２２によって基準部材１０ａに対する第１移動部材１０ｂおよび第２移動部材１０ｃの相対位置が指し示される。また、第１入力部１１０ａからの入力によって第１移動部材１０ｂが移動すると、指標１２１に対してスケール１１２が移動する。一方、第２入力部１１０ｂからの入力によって第２移動部材１０ｃが移動すると、指標１２２に対してスケール１１３が移動する。
【００３４】
このとき、指標１２１，１２２は、操作部１１０の近傍である基準部材１０ａの連結部１２０に固定されており、第１移動部材１０ｂまたは第２移動部材１０ｃの移動によって、指標１２１，１２２の位置関係が変化しない。すなわち、観察者は、第１移動部材１０ｂまたは第２移動部材１０ｃの移動に関わらず、指標１２１，１２２を確認することができる。
【００３５】
図４は、本実施の形態にかかる顕微鏡１のステージ１０の構成を模式的に示す平面図であって、指標１２２がスケール１１３の一端側に位置する場合を示している。図５は、本実施の形態にかかる顕微鏡１のステージ１０の構成を模式的に示す平面図であって、指標１２１がスケール１１２の一端側に位置する場合を示している。
【００３６】
図４，５に示すように、第１移動部材１０ｂおよび第２移動部材１０ｃが一端側に移動した場合であっても、指標１２１，１２２の位置関係は変化することなく、それぞれのスケール１１２，１１３に対する位置を指し示している。また、指標１２１，１２２が互いに近接して配置されているため、観察者は視野領域を変えることなく、各スケールの位置を確認することができる。
【００３７】
上述した本実施の形態によれば、基準部材１０ａ、第１移動部材１０ｂおよび第２移動部材１０ｃが積層されるステージ１０において、第１移動部材１０ｂの上面であって、第１の方向に沿って設けられ、第１移動部材１０ｂおよび第２移動部材１０ｃと基準部材１０ａとの間で成立しうる位置情報（相対的な移動量）をそれぞれ表示するスケール１１２，１１３と、基準部材１０ａに設けられ、第１移動部材１０ｂおよび第２移動部材１０ｃと基準部材１０ａとの間で成立している位置情報を指し示す指標１２１，１２２と、を有するようにしたので、第１移動部材１０ｂおよび第２移動部材１０ｃのように一部が互いに異なる方向に移動可能な複数の部材が積層されたステージの相対位置を容易に読み取ることができる。
【００３８】
また、上述した実施の形態によれば、スケール１１２，１１３および指標１２１，１２２が、操作部１１０近傍に設けられているため、操作部１１０の操作を行ないながら、基準部材１０ａ、第１移動部材１０ｂおよび第２移動部材１０ｃの位置を容易に確認することができる。
【００３９】
なお、上述した実施の形態では、スケール１１２，１１３および指標１２１，１２２が、操作部近傍に設けられているものとして説明したが、上述したスケール１１２，１１３および指標１２１，１２２の関係を満たせば、これらの配設位置は視認可能な如何なる位置であってもよい。
【００４０】
また、上述した実施の形態では、中板が基準部材１０ａであるものとして説明したが、上板または下板を基準部材として操作部１１０を設け、スケールおよび指標が基準部材および移動部材にそれぞれ設けられるものであってもよい。
【００４１】
図６は、本実施の形態の変形例１にかかる顕微鏡１のステージの構成を模式的に示す平面図である。上述した実施の形態では、位置情報部として目盛りを表示するものとして説明したが、例えば、複数の収容部（ウェル）がマトリックス状に並設されたウェルプレートを用いる場合、位置情報表示部は、各ウェルの位置を示す表示態様に合わせて、位置情報の種類が異なる表示を行うようにしてもよい。
【００４２】
例えば、行を数字、列をアルファベットで各ウェルの位置を決定するウェルプレートの場合、図６に示すように、第１移動部材１０ｂに固定して設けられる第１位置情報表示部１１４が、ウェルプレート上の表示間隔に応じてアルファベット（第１の位置情報）を表示し、第２移動部材１０ｃに固定して設けられる第２位置情報表示部１１５が、ウェルプレート上の表示間隔に応じて数字（第２の位置情報）を表示する。
【００４３】
これにより、第１移動部材１０ｂおよび第２移動部材１０ｃの移動において、指標１２１，１２２を確認することによって、各ウェルの位置を把握しながら、第１移動部材１０ｂおよび第２移動部材１０ｃを移動させることができる。
【００４４】
なお、上述した実施の形態および変形例１のように、ステージ１０に載置する標本または標本載置部材（ウェルプレート）によって表示態様が異なる場合、その表示態様を変更できるように、第１および第２位置情報表示部がそれぞれ取り替え可能であってもよい。この場合、第１および第２位置情報表示部は、シール材などによって形成され、その表示面に目盛りや数字、アルファベットが表示されるものとなる。
【００４５】
図７は、本実施の形態の変形例２にかかる顕微鏡１のステージの構成を模式的に示す平面図である。上述した実施の形態では、指標としてある一点を指し示すものとして説明したが、例えば、各スケール１１２，１１３の目盛りに応じた目盛りが設けられ、いずれかの目盛りでスケール１１２，１１３の位置情報を指示するバーニヤとして機能する指標１２３，１２４であってもよい。ここで、指標１２３，１２４の目盛りは、スケール１１２，１１３の目盛りに対して９／１０または１９／２０の間隔で振られている。
【００４６】
これにより、指標１２３，１２４を確認することによって、第１移動部材１０ｂおよび第２移動部材１０ｃの位置を一段と詳細に読み取ることができる。
【００４７】
また、上述した実施の形態では、顕微鏡として倒立型の顕微鏡を例に説明したが、例えば、正立型の顕微鏡であっても本発明のステージを適用することができる。さらに、顕微鏡装置を組み込んだライン装置といった各種システムにも、本発明を適用することができる。また、上述した実施の形態では、透過照明装置を備えるものとして説明したが、落射照明光を出射する落射照明装置を備えるものであってもよいし、透過照明装置および落射照明装置の両方を備えるものであってもよい。
【００４８】
以上のように、本発明にかかるステージおよび顕微鏡は、一部が互いに異なる方向に移動可能な複数の部材が積層されたステージの相対位置を容易に読み取るのに有用である。
【符号の説明】
【００４９】
１  顕微鏡
１０，２０，３０  ステージ
１０ａ  基準部材
１０ｂ  第１移動部材
１０ｃ  第２移動部材
１１  対物レンズ
１２  顕微鏡本体
１２ａ  焦準操作部
１３  透過照明装置
１４  照明支柱
１５  照明アーム部
１６  ランプハウス
１７  コンデンサユニット
１８  鏡筒
１９  コンデンサ移動機構
１１１  貫通孔
１１２，１１３  スケール
１１４  第１位置情報表示部
１１５  第２位置情報表示部  
１２０  連結部
１２１，１２２，１２３，１２４  指標  
１５１  レンズ
１５２  折り返しミラー
１５３  視野絞り
１５４  視野絞り操作部
１６１  光源
１７１  コンデンサ
１７２  コンデンサホルダ
１８１  接眼レンズ
１９１  コンデンサ焦準操作部
【図１】
0005959267.tif 000002
【図２】
0005959267.tif 000003
【図３】
0005959267.tif 000004
【図４】
0005959267.tif 000005
【図５】
0005959267.tif 000006
【図６】
0005959267.tif 000007
【図７】
0005959267.tif 000008